(57)【特許請求の範囲】
【請求項１】
上フランジとウエブと下フランジとからなるＨ形鋼の前記上フランジの上面に床板の支持脚を載置し、上板部と側板部と下板部とからなり、前記支持脚のベースプレートの長さとほぼ同じ長さを有する断面コ字状の固定金具を、前記側板部が前記支持脚のベースプレートの側面をほぼ覆う位置で、前記上板部が前記支持脚のベースプレートの上面に対向し、下板部が前記上フランジの下面に対向するようにして、前記ウエブの両側にそれぞれ配置し、固定金具の前記上板部に２つのめねじを形成して該２つのめねじの各々にボルトを縲入することにより、前記支持脚と前記Ｈ形鋼とを固定した、ことを特徴とする床板の支持脚の固定構造。
【請求項２】
上フランジとウエブと下フランジとからなり前後方向に延びたＨ形鋼の前記上フランジの上面に、支柱と該支柱の下端に固定されて前後左右に張出したベースプレートとを有する床板の支持脚を載置し、前記支柱の前後にそれぞれ上部金具を設けて該上部金具を前記ベースプレートの上面に載置し、且つ両上部金具の左右両端を前記上フランジの両側よりも外方に突出させ、前記ウエブの両側に、前記上フランジの下面に対向し且つ上フランジの側面よりも外方に突出し、端部を上部金具側に折り曲げた下部金具をそれぞれ配置し、前記下部金具の折り曲げた先端部を前記上部金具の下面に当接させた状態で、上フランジの側面よりも外方に突出した部分の前記上部金具と下部金具とをボルト締結することにより、前記支柱と前記Ｈ形鋼とを固定した、ことを特徴とする床板の支持脚の固定構造。
【発明の詳細な説明】
【０００１】
【発明の属する技術分野】
この発明は、床板の支持脚の固定構造に関し、特にＨ形鋼に支持脚を固定するときの固定構造に関する。
【０００２】
【従来の技術】
オフィスフロア等では、床スラブ上に支持脚を固定し、支持脚上に床板を敷き詰めてフリーアクセスフロアを構成している。しかるにクリーンルーム等では、床板の下の空間として広いスペースを確保する必要から、構造物にＨ形鋼を掛け渡し、このＨ形鋼上に支持脚を固定して、フリーアクセスフロアを構成している。
その際、支持脚とＨ形鋼との固定方法として、一般に接着剤が用いられており、また溶接によって支持脚とＨ形鋼とを固定する技術も用いられる。
【０００３】
【発明が解決しようとする課題】
上記従来の支持脚とＨ形鋼との固定方法のうち、接着剤を用いる固定方法では、固定強度に関する信頼性が必ずしも十分に高くはないという問題点がある。また接着剤が固化するまでの養生期間を確保する必要があり、すなわち接着剤が完全に乾燥するまでは次の工程に進むことができず、工期の短縮化を図ることができないという問題点がある。また、ひとたび支持脚を接着した後には、支持脚の位置を容易には変更できないという問題点がある。更に、特にクリーンルーム等では溶剤をこぼしてしまうおそれがあり、このときにはその溶剤と接着剤との化学反応により、クリーンルームにとって好ましくないガスが発生するおそれがある。
【０００４】
他方、溶接によれば、固定強度を十分に確保することができ、養生期間は不要となり、また溶媒をこぼしたときも特に問題を生じるおそれはない。しかし多数の支持脚を溶接すること自体が工期の長期化を招き、特に近時の溶接工の不足により、作業員を確保すること自体が容易ではない。また、ひとたび支持脚を溶接した後には、支持脚の位置を容易には変更できないという問題点がある。
そこで本発明は、十分な固定強度を有し、工期の短縮化を図ることができ、支持脚の位置を容易に変更することができ、且つ化学反応を招くおそれのない支持脚とＨ形鋼との固定構造を提供することを課題とする。
【０００５】
【課題を解決するための手段】
本発明は上記課題を解決するためになされたものであり、すなわち、上フランジとウエブと下フランジとからなるＨ形鋼の前記上フランジの上面に床板の支持脚を載置し、上板部と側板部と下板部とからなり、前記支持脚のベースプレートの長さとほぼ同じ長さを有する断面コ字状の固定金具を、前記側板部が前記支持脚のベースプレートの側面をほぼ覆う位置で、前記上板部が前記支持脚のベースプレートの上面に対向し、下板部が前記上フランジの下面に対向するようにして、前記ウエブの両側にそれぞれ配置し、固定金具の前記上板部に２つのめねじを形成して該２つのめねじの各々にボルトを縲入することにより、前記支持脚と前記Ｈ形鋼とを固定した、床板の支持脚の固定構造である。
【０００６】
【課題を解決するための手段】
本発明はまた、上フランジとウエブと下フランジとからなり前後方向に延びたＨ形鋼の前記上フランジの上面に、支柱と該支柱の下端に固定されて前後左右に張出したベースプレートとを有する床板の支持脚を載置し、前記支柱の前後にそれぞれ上部金具を設けて該上部金具を前記ベースプレートの上面に載置し、且つ両上部金具の左右両端を前記上フランジの両側よりも外方に突出させ、前記ウエブの両側に、前記上フランジの下面に対向し且つ上フランジの側面よりも外方に突出し、端部を上部金具側に折り曲げた下部金具をそれぞれ配置し、前記下部金具の折り曲げた先端部を前記上部金具の下面に当接させた状態で、上フランジの側面よりも外方に突出した部分の前記上部金具と下部金具とをボルト締結することにより、前記支柱と前記Ｈ形鋼とを固定した、床板の支持脚の固定構造である。
【０００７】
【発明の実施の形態】
本発明の実施の形態を説明する。図１〜図３は本発明による床板の支持脚の固定構造の第１実施例を示す。上フランジ１ａとウエブ１ｂと下フランジ１ｃとからなるＨ形鋼１は、上フランジ１ａが水平方向を向くようにして配置されており、この上フランジ１ａの上面に支持脚２が載置されている。
支持脚２はベースプレート２ａを有し、このベースプレート２ａ上に支柱２ｂが立設されている。支柱２ｂにはおねじが刻設されており、このおねじにナット２ｃと受け台２ｄとが螺入されている。ナット２ｃと受け台２ｄには、それぞれロックボルトが螺入されており、ナット２ｃの高さを調節した後に、その状態でナット２ｃと受け台２ｄの位置を固定できるように構成されている。
受け台２ｄ上には受け板２ｅが設けられており、受け板２ｅ上に４本の位置決め突起２ｆが突設されている。受け板２ｅ上には緩衝材３を介して床板４が載置されており、床板４の下面に形成した凹部に支持脚の位置決め突起２ｆを嵌合させることにより、床板４が位置ずれしないように構成されている。床板４の上面には、例えばカーペット５が敷かれる。
【０００８】
支持脚２とＨ形鋼１とは、固定金具６によって固定されている。固定金具６は、上板部６ａと側板部６ｂと下板部６ｃとによって断面コ字状に形成されており、上板部６ａには２カ所にめねじが刻設されている。この固定金具６を、上板部６ａが支持脚のベースプレート２ａの上面に対向し、下板部６ｃが上フランジ１ａの下面に対向するようにして、ウエブ１ｂの右側と左側とにそれぞれ配置する。しかる後、上板部６ａのめねじにボルト７を螺入すると、ボルト７の先端は上フランジ１ａの上面に当接し、なおもボルト７をねじ込むと、固定金具の上板部６ａは上方に引き上げられ、したがって下板部６ｃは上フランジ１ａの下面に押圧され、こうして支持脚２とＨ形鋼１とは強固に固定される。
【０００９】
このように本実施例では、機械的な手段によって支持脚２とＨ形鋼１とを固定しているから、十分な固定強度を有すると共に、溶剤等がこぼれたとしても、化学反応を引き起こすおそれがない。また溶接工等の熟練工を必要とせず、しかも養生期間も必要としないから、工期の短縮化を図ることができる。更にボルト７をゆるめて支持脚２の位置を調整することができるから、床板４の位置の微調整を容易に行うことができる。
【００１０】
次に、図４〜図６は本発明の第２実施例を示す。上記第１実施例では、ボルト７が緩むことにより、固定金具６が側方に脱落してしまうおそれが皆無とはいえない。この第２実施例は、２個の上部金具８ａ，８ｂと、２個の下部金具９ａ，９ｂとを用いることにより、このような脱落のおそれのない構造としたものである。
Ｈ型鋼の長手方向を前後方向とし、幅方向を左右方向とすると、上部金具８ａ，８ｂは、支持脚２の支柱２ｂの前後に１つずつ設けられ、前側上部金具８ａはベースプレート２ａの前側の上面に載置され、後ろ側上部金具８ｂはベースプレート２ａの後ろ側の上面に載置されている。両上部金具８ａ，８ｂの左右両端は、上フランジ１ａの両側よりも左方と右方に突出している。
他方、下部金具９ａ，９ｂは、ウエブ１ｂの左右両側に１つずつ設けられ、上フランジ１ａの下面に対向して配置されている。左側下部金具９ａの左端あるいは右側下部金具９ｂの右端は、上フランジ１ａの側面よりも左方あるいは右方に突出した後に、上方に折り曲げられており、その上端は、前側上部金具８ａと後ろ側上部金具８ｂの双方に当接している。
【００１１】
上部金具８ａ，８ｂと下部金具９ａ，９ｂのうち、上フランジ１ａの側面よりも外方に突出した部分は、ボルト７によって互いに締結されている。すなわちボルト７は、前側上部金具８ａと左側下部金具９ａの締結、前側上部金具８ａと右側下部金具９ｂの締結、後ろ側上部金具８ｂと左側下部金具９ａの締結、及び後ろ側上部金具８ｂと右側下部金具９ｂの締結のために、都合４本設けられている。
こうしてボルト７を締め付けることにより、支持脚のベースプレート２ａとＨ型鋼の上フランジ１ａは、上部金具８ａ，８ｂと下部金具９ａ，９ｂとの間で挟着固定される。その際、本実施例では、ボルト７が緩んだとしても、上部金具８ａ，８ｂと下部金具９ａ，９ｂは脱落することができず、したがって第１実施例の固定構造よりも信頼性が高いと言える。
なお本実施例では、２個の上部金具８ａ，８ｂを用いたが、上部金具８ａ，８ｂの左端あるいは右端を結合して、平面形状Ｕ字形の１つの上部金具とすることもできる。
【００１２】
【発明の効果】
本発明によれば、十分な固定強度を有し、工期の短縮化を図ることができ、支持脚の位置を容易に変更することができ、且つ化学反応を招くおそれのない支持脚とＨ形鋼との固定構造が得られる。
【図面の簡単な説明】
【図１】本発明の第１実施例を示す側断面図
【図２】第１実施例を示す正面図
【図３】第１実施例の床板を除去した状態を示す平面図
【図４】第２実施例を示す側断面図
【図５】第２実施例を示す正面図
【図６】第２実施例を示す部分断面平面図
【符号の説明】
１…Ｈ形鋼                      １ａ…上フランジ
１ｂ…ウエブ                    １ｃ…下フランジ
２…支持脚                      ２ａ…ベースプレート
２ｂ…支柱                      ２ｃ…ナット
２ｄ…受け台                    ２ｅ…受け板
２ｆ…位置決め突起              ３…緩衝材
４…床板                        ５…カーペット
６…固定金具                    ６ａ…上板部
６ｂ…側板部                    ６ｃ…下板部
７…ボルト                      ８ａ，８ｂ…上部金具
９ａ，９ｂ…下部金具
【図１】
0004298808.tif 000002
【図２】
0004298808.tif 000003
【図３】
0004298808.tif 000004
【図４】
0004298808.tif 000005
【図５】
0004298808.tif 000006
【図６】
0004298808.tif 000007